(57)【特許請求の範囲】
【請求項１】
携帯電話網を有する携帯電話機と所定の電話機とを有する携帯電話機の自動転送システムであって、
前記携帯電話機と前記電話機とが所定の位置範囲内にあることを自動的に認識する認識手段と、
前記携帯電話機と前記電話機とが所定の位置範囲内にあると認識された場合に、前記携帯電話機の間欠待ち受け周期を長くして、前記携帯電話網を介して前記携帯電話機から前記電話機に自動的に着信転送を行う自動転送手段と、
前記間欠待ち受け周期を長い状態から通常の状態に戻した際に、自動的にメールサーバにメール着信の問合せをする問合せ手段とを有することを特徴とする携帯電話機の自動転送システム。
【請求項２】
前記認識手段は、前記携帯電話機が待ち受け中に位置登録している基地局のセル認識番号を使用して、前記携帯電話機と前記電話機とが所定の位置範囲内にあることを認識することを特徴とする請求項１に記載の携帯電話機の自動転送システム。
【請求項３】
前記認識手段は、前記携帯電話機に搭載されているＧＰＳを利用して、前記携帯電話機と前記電話機とが所定の位置範囲内にあることを認識することを特徴とする請求項１に記載の携帯電話機の自動転送システム。
【請求項４】
前記電話機は、固定電話機又は他の携帯電話機であることを特徴とする請求項１に記載の携帯電話機の自動転送システム。
【請求項５】
前記電話機が前記他の携帯電話機である場合に、前記認識手段は、前記携帯電話機及び前記他の携帯電話機に搭載されているブルートゥースを利用して、前記携帯電話機と前記他の携帯電話機とが所定の位置範囲内にあることを認識することを特徴とする請求項４に記載の携帯電話機の自動転送システム。
【請求項６】
所定の電話機に対して自動転送を行う携帯電話機であって、
前記電話機が所定の位置範囲内にあることを自動的に認識する認識手段と、
前記電話機が所定の位置範囲内にあると認識された場合に、間欠待ち受け周期を長くして、前記電話機に自動的に着信転送を行う自動転送手段と、
前記間欠待ち受け周期を長い状態から通常の状態に戻した際に、自動的にメールサーバにメール着信の問合せをする問合せ手段とを有することを特徴とする携帯電話機。
【請求項７】
前記認識手段は、待ち受け中に位置登録している基地局のセル認識番号を使用して、前記電話機が所定の位置範囲内にあることを認識することを特徴とする請求項６に記載の携帯電話機。
【請求項８】
前記認識手段は、搭載されているＧＰＳを利用して、前記電話機が所定の位置範囲内にあることを認識することを特徴とする請求項６に記載の携帯電話機。
【請求項９】
前記電話機は、固定電話機又は他の携帯電話機であることを特徴とする請求項６に記載の携帯電話機。
【請求項１０】
前記電話機が前記他の携帯電話機である場合に、前記認識手段は、搭載されているブルートゥースを利用して、前記他の携帯電話機が所定の位置範囲内にあることを認識することを特徴とする請求項９に記載の携帯電話機。
【請求項１１】
携帯電話網を有する携帯電話機と所定の電話機とを有する携帯電話機の自動転送方法であって、
前記携帯電話機と前記電話機とが所定の位置範囲内にあることを自動的に認識し、
前記携帯電話機と前記電話機とが所定の位置範囲内にあると認識された場合に、前記携帯電話機の間欠待ち受け周期を長くして、前記携帯電話網を介して前記携帯電話機から前記電話機に自動的に着信転送を行い、
前記間欠待ち受け周期を長い状態から通常の状態に戻した際に、自動的にメールサーバにメール着信の問合せをすることを特徴とする携帯電話機の自動転送方法。
【請求項１２】
前記携帯電話機が待ち受け中に位置登録している基地局のセル認識番号を使用して、前記携帯電話機と前記電話機とが所定の位置範囲内にあることを認識することを特徴とする請求項１１に記載の携帯電話機の自動転送方法。
【請求項１３】
前記携帯電話機に搭載されているＧＰＳを利用して、前記携帯電話機と前記電話機とが所定の位置範囲内にあることを認識することを特徴とする請求項１１に記載の携帯電話機の自動転送方法。
【請求項１４】
前記電話機は、固定電話機又は他の携帯電話機であることを特徴とする請求項１１に記載の携帯電話機の自動転送方法。
【請求項１５】
前記電話機が前記他の携帯電話機である場合に、前記携帯電話機及び前記他の携帯電話機に搭載されているブルートゥースを利用して、前記携帯電話機と前記他の携帯電話機とが所定の位置範囲内にあることを認識することを特徴とする請求項１４に記載の携帯電話機の自動転送方法。
【発明の詳細な説明】
【技術分野】
【０００１】
本発明は、携帯電話機の自動転送システム、携帯電話機及び携帯電話機の自動転送方法に関する。
【背景技術】
【０００２】
携帯電話機は小型、軽量のものが望まれており、使用するバッテリー容量に限界があるため、連続使用時間の長くするには、その消費電力を下げることが課題となる。一方、携帯電話機と携帯電話網は、いつでもどこでも誰とでもコミュニケーションがとれるように利便性を重視して設計している。一般に利便性と消費電流は、トレードオフの関係にあり、利便性を重視すると、消費電流を犠牲しなければならい。
【０００３】
しかし、昨今の携帯電話機と固定電話機の融合（FMC）の流れや、携帯電話機を複数台所有するユーザの増加傾向を考えると、利便性を失わずに、消費電流を削減できる余地がある。
【０００４】
例えば、現行の日本のWCDMA網では、間欠待ち受け周期は2.56秒となっているが、ユーザが移動していない静止時で、特に自宅や会社など固定電話機をはじめとする代替の通信手段がある場合に、必ずしも携帯電話機は、通常の2.56秒周期の待ち受けをして、無駄な電力を消費する必要はない。
【０００５】
携帯電話機の連続待ち受け時間は、間欠待ち受け周期に依存している。間欠待受け周期以外の他条件が同じであれば、間欠待ち受け周期を長くした分だけ、携帯電話機の連続待ち受け時間を延ばすことが可能となる。
【０００６】
ここで、一般に、間欠待ち受け周期は、オペレータが決定する携帯電話網から指定される。もし、携帯電話機が、前述したオペレータが指定する間欠待ち受け周期を無視して、独自に間欠待ち受け周期を長くすると、ページングを取得できず、着信できなくなってしまう。すなわち、携帯電話側で間欠待ち受け周期を決定することができないため、間欠待ち受けの周期を長くして、携帯電話機の連続待ち受け時間を長くすることは不可能であった。
【０００７】
これに関連する技術として、例えば、再公表特許ＷＯ２００６／１０３７６３号公報（特許文献１）、特開２００５−１８４２６３号公報（特許文献２）、特開平８−１４９５６２号公報（特許文献３）等がある。
【先行技術文献】
【特許文献】
【０００８】
【特許文献１】再公表特許ＷＯ２００６／１０３７６３号公報
【特許文献２】特開２００５−１８４２６３号公報
【特許文献３】特開平８−１４９５６２号公報
【発明の概要】
【発明が解決しようとする課題】
【０００９】
本発明の目的は、上述した課題を解決するための技術を提供することにあり、携帯電話機の無駄な消費電力を削減しつつ連続待ち受け時間を長くすることにある。
【課題を解決するための手段】
【００１０】
本発明は、携帯電話網を有する携帯電話機と所定の電話機とを有する携帯電話機の自動転送システムであって、
前記携帯電話機と前記電話機とが所定の位置範囲内にあることを自動的に認識する認識手段と、
前記携帯電話機と前記電話機とが所定の位置範囲内にあると認識された場合に、前記携帯電話機の間欠待ち受け周期を長くして、前記携帯電話網を介して前記携帯電話機から前記電話機に自動的に着信転送を行う自動転送手段とを有することを特徴とする。
【００１１】
また、本発明は、所定の電話機に対して自動転送を行う携帯電話機であって、
前記電話機が所定の位置範囲内にあることを自動的に認識する認識手段と、
前記電話機が所定の位置範囲内にあると認識された場合に、間欠待ち受け周期を長くして、前記電話機に自動的に着信転送を行う自動転送手段とを有することを特徴とする。
【００１２】
また、本発明は、携帯電話網を有する携帯電話機と所定の電話機とを有する携帯電話機の自動転送方法であって、
前記携帯電話機と前記電話機とが所定の位置範囲内にあることを自動的に認識し、
前記携帯電話機と前記電話機とが所定の位置範囲内にあると認識された場合に、前記携帯電話機の間欠待ち受け周期を長くして、前記携帯電話網を介して前記携帯電話機から前記電話機に自動的に着信転送を行うことを特徴とする。
【発明の効果】
【００１３】
本発明によれば、携帯電話機の無駄な消費電力を削減しつつ連続待ち受け時間を長くすることができる。
【図面の簡単な説明】
【００１４】
【図１】本発明の第１の実施の形態に係る携帯電話機の自動転送システムの構成を示す図である。
【図２】本発明の第１の実施の形態の動作を説明するためのフローチャートである。
【図３】本発明の第２の実施の形態に係る携帯電話機の自動転送システムの構成を示す図である。
【図４】本発明の第２の実施の形態の動作を説明するためのフローチャートである。
【発明を実施するための形態】
【００１５】
次に、本発明の実施の形態について図面を参照して詳細に説明する。
【００１６】
（第１の実施の形態）
まず、図１を参照して、本発明の第１の実施の形態に係る携帯電話機の自動転送システムの構成について説明する。
【００１７】
第１の実施の形態の一例として、携帯電話機の代替手段として、自宅やオフィスにて固定電話機に転送設定可能な場合について説明する。
【００１８】
第１の実施の形態に係る携帯電話機の自動転送システムは、携帯電話機１０１、固定電話機１０２、携帯電話基地局１０３、携帯電話網１０４、HLR１０５、メールサーバ１０６、固定電話網１０７、携帯電話網１０４の回線交換器１０８、１０９、携帯電話網１０７の回線交換機１１０を有する。
【００１９】
ここで、携帯電話機１０１と固定電話機１０２は、近い場所（例えば、同じ部屋の中）にあり、ユーザは携帯電話機１０１、固定電話機１０２を自由に使用可能な状況にある。また、携帯電話機１０１及び携帯電話網１０４は、着信転送機能を有している。
【００２０】
図２は、本発明の第１の実施の形態の動作を説明するためのフローチャートである。図１及び図２を参照して、本発明の第１の実施の形態の動作について詳細に説明する。
【００２１】
まず、携帯電話機１０１のユーザは携帯電話機１０１にて、着信転送条件を設定する。
【００２２】
図２において、転送機能無効（ステップ２０１）/有効（ステップ２０７）とは、代替手段としての着信転送可能な固定電話機１０２に自動で転送設定を行う機能が有効状態/無効状態になっていることを意味している。
【００２３】
また、転送設定有効（ステップ２１６）/無効（ステップ２０８）は、着信転送が有効/無効状態であることを示している。すなわち、転送機能が有効とは、着信転送設定が自動で有効/無効に切り替わる状態あることを示し、転送機能が無効とは、着信転送設定が自動で行われない状態（自動での着信転送設定はしないが、手動で従来どおりの着信転送設定は可能である状態）であることを示している。
【００２４】
ユーザは、転送先の設定をして、転送機能を１回だけ有効にすれば、その後、特に設定をする必要はなく、代替手段がある場所では、自動で着信転送設定が有効となり、代替手段がない場所では、自動で着信転送設定が無効となる。
【００２５】
着信転送条件は、携帯電話機の利用者が、着信転送をする代替手段である固定電話機１０２があり、着信転送を行いたい場所（例えば、自宅やオフィス）で、通常待ち受け中に、転送機能を有効にする設定するメニューにて転送機能を有効にする設定をする（ステップ２０２）。
【００２６】
現在場所で転送機能を有効に設定をする（ステップ２０２）と、携帯電話機１０１は、圏内か否かの判定を行い（ステップ２０３）、圏内の場合には、転送番号入力設定（ステップ２０４）となる。
【００２７】
転送番号入力（ステップ２０４）後に、現在待ち受け中の携帯電話基地局１０３のセル認識番号（以下、Cell IDという）と、携帯電話機１０１が認識している周辺基地局のCell IDを携帯電話機１０１の内部不揮発メモリ（図示せず）に記憶する（ステップ２０５）。具体的には、位置登録セル１０３ａと周辺セル１０３ｂ（図１参照）のCell IDを携帯電話機１０１の内部不揮発メモリに保存する。このようにして、転送機能が有効となる（ステップ２０７）。
【００２８】
そして、携帯電話機１０１は、待ち受けしている携帯電話基地局１０３のCell ID（現在位置登録しているCell ID）と内部不揮発メモリに記憶されているCell IDが一致した場合に（ステップ２１０）、タイマー１を起動する（ステップ２１１）。
【００２９】
そして、タイマー１が満了する（ステップ２１４）まで、待ち受け中の携帯電話機１０１のCell IDが変わらず（位置登録セル１０３ａが変更されず）（ステップ２１２）、また、携帯電話機１０１のユーザが、携帯電話機１０１のキー操作や開閉操作を行わない場合及び充電中でない場合（ステップ２１３）、間欠待ち受け周期を長く（Ｌｏｎｇ）して（ステップ２１５）、転送設定を有効にする（ステップ２１６）。
【００３０】
転送設定が有効となっている間に、携帯電話機１０１に着信がかかると、携帯電話網１０４のHLR１０５にて着信転送を登録済の固定電話１０２に行う。
【００３１】
ここで、携帯電話機１０１は、従来よりも長い間欠待ち受け周期中は、位置登録しているCell IDを監視して（ステップ２１８）、別のCell IDへ移動を検知する（位置登録セルの変更）と、タイマー２を起動する（ステップ２１９）。
【００３２】
そして、タイマー２が満了するまで（ステップ２２２）、Cell IDがもとのCell IDに戻らない場合（位置登録セルのCell IDが転送設定有効時のCell IDに戻らない場合）は（ステップ２２１）、携帯電話機１０１のユーザが代替手段である固定電話機１０３がない場所へ移動したと判断して、間欠待ち受け周期を通常状態に戻して（ステップ２２４）、転送設定を自動で無効に変更する（ステップ２０８）。
【００３３】
また、転送設定中で携帯電話機１０１のCell IDが変わらない場合も、携帯電話機１０１のユーザが携帯電話機１０１のキー操作や開閉操作を行った場合や携帯電話機１０１が充電中の場合（ステップ２１７、２２０）も、転送設定を自動で無効に変更する（ステップ２０８）。
【００３４】
尚、間欠待ち受け周期を長い状態から通常状態に戻す際に（ステップ２２４）、転送設定中にメールやSMSを取り逃している可能性があるため、自動でメールサーバ１０６にメール着信の問い合わせを行う（ステップ２２３）。
【００３５】
本発明の第１の実施の形態の基本的構成は上記の通りであるが、着信代替手段である固定電話機１０２が近くにあることをより精度よく自動認識できる手段として、携帯電話機１０１に搭載されているGPSや加速度センサーを利用しても良い。
【００３６】
Cell IDに加えて、GPSや加速度センサーを利用することで、ユーザの行動を、Cell IDだけの場合よりも、より精度よく把握できる。このため、不要な着信転送の有効／無効設定回数を減らせて消費電力をさらに削減できる。また、ユーザが着信機会を逸するリスクも減らすことができる。
【００３７】
（第２の実施の形態）
まず、図３を参照して、本発明の第２の実施の形態に係る携帯電話機の自動転送システムの構成について説明する。
【００３８】
本発明の第２の実施の形態は、その基本的構成は上記第１の実施の形態と同じであるが、着信代替手段として、固定電話機１０２（図１参照）でなく第２の携帯電話機を利用することが上記第１の実施の形態と異なる。
【００３９】
昨今、携帯電話機を複数台持ち歩くユーザが増えており、着信可能の携帯電話機が複数台、互いに十分近くにあり、１台のみで着信できればユーザが不便とならない場合は、１台の携帯電話機のみを通常待ち受けとして残す。そして、残りの携帯電話機を前記１台の携帯電話機へ着信転送設定し、間欠待ち受け周期を長くして、連続待ち受け時間を長くすることが可能となる。
【００４０】
第２の実施の形態に係る携帯電話機の自動転送システムは、第１の携帯電話機３０１、第２の携帯電話機３０２、第１の携帯電話機３０１に対して携帯電波を送受信する携帯電話基地局３０３、第２の携帯電話機３０２に対して携帯電波を送受信する携帯電話基地局３０４、第１の携帯電話網３０５、第１の携帯電話網３０５に接続されたメールサーバ３０６、HLR３０７、回線交換器３０８、３０９、第２の携帯電話網３１０、第２の携帯電話網３１０に接続された回線交換器３１１、３１２を有する。
【００４１】
ここで、転送設定をする第１の携帯電話機３０１と転送先の第２の携帯電話機３０２とがお互いに近くにあることは、両方の携帯電話機３０１、３０２に搭載されているブルートゥースを利用することで認識される。
【００４２】
図４は、本発明の第２の実施の形態の動作を説明するためのフローチャートである。
【００４３】
図３及び図４を参照して、本発明の第２の実施の形態の動作について詳細に説明する。
【００４４】
まず、第１の携帯電話機３０１のユーザは携帯電話機３０１にて、着信転送条件を設定する。
【００４５】
図４において、転送機能無効（ステップ４０１）/有効（ステップ４０７）とは、代替手段としての着信転送可能な第２の携帯電話機３０２へ自動で転送設定を行う機能が有効状態/無効状態になっていることを意味している。
【００４６】
また、転送設定有効（ステップ４１６）/無効（ステップ４０８）は、着信転送が有効/無効状態であることを示している。すなわち、転送機能が有効とは、着信転送設定が自動で有効/無効に切り替わる状態あることを示し、転送機能が無効とは、着信転送設定が自動で行われない状態（自動での着信転送設定はしないが、手動で従来どおりの着信転送設定は可能である状態）であることを示している。
【００４７】
ユーザは、転送先の設定をして、転送機能を１回だけ有効にすれば、その後、特に設定をする必要はなく、代替手段がある場所では、自動で着信転送設定が有効となり、代替手段がない場所では、自動で着信転送設定が無効となる。
【００４８】
着信転送条件は、携帯電話機の利用者が、着信転送をする代替手段である第２の携帯電話機３０２があり、着信転送を行いたい場所で、通常待ち受け中に、転送機能を有効にする設定するメニューにて転送機能を有効にする設定をする（ステップ４０２）。
【００４９】
現在場所で転送機能を有効に設定をする（ステップ４０２）と、第１の携帯電話機３０１は、代替手段としての第２の携帯電話機３０２をブルートゥースで検出可能か否かの判定を行い（ステップ４０３）、検出可能な場合には、転送番号入力設定（ステップ４０４）となる。
【００５０】
転送番号入力（ステップ４０４）後に、ブルートゥースで検出した装置識別番号を第１の携帯電話機３０１の内部不揮発メモリ（図示せず）に記憶する（ステップ４０５）。このようにして、転送機能が有効となる（ステップ４０７）。
【００５１】
そして、第１の携帯電話機３０１は、内部不揮発メモリに記憶されている装置識別番号をブルートゥースで検出した場合に（ステップ４１０）、タイマー３を起動する（ステップ４１１）。
【００５２】
このように、第１の携帯電話機３０１は、待ち受け中に搭載されているブルートゥースで第２の携帯電話機３０２を検知すると（ステップ４１０）、タイマー３を起動し（ステップ４１１）、間欠待ち受け周期を長く（Ｌｏｎｇ）して（ステップ４１５）、第２の携帯電話機３０２への転送設定を行う（ステップ４１６）。
【００５３】
第１の携帯電話機３０１の転送設定が有効となっている間に、第１の携帯電話機３０１に着信がかかると、第１の携帯電話網３０３のHLR３０７にて着信転送を登録済の第２の携帯電話機３０２に行う。
【００５４】
転送設定中の第１の携帯電話機３０１は、周期の長い間欠待ち受け中は、搭載されているブルートゥースで第２の携帯電話機３０２を監視（内部不揮発メモリに保存されている装置識別番号をブルートゥースで検出可能か否かを判定する）して（ステップ４１８、４２１）、第２の携帯電話機３０２が検知できなくなるとタイマー４を起動する（ステップ４１９）。
【００５５】
そして、タイマー４が満了するまで、第２の携帯電話機３０２を再検知できない場合は、待ち受け周期を通常設定に戻し（ステップ４２４）、第２の携帯電話機３０２の転送設定を無効にする（ステップ４０８）。
【００５６】
転送設定が有効で、第２の携帯電話機３０２を検知できる状況でも、ユーザが第１の携帯電話機３０１のキー操作や開閉操作を行った場合や充電中は（ステップ４１７、４２０）、第１の携帯電話機３０１の転送設定は無効にする（ステップ４０８）。
【００５７】
また、間欠待ち受け周期を長い状態から短い状態へ変更した場合は（ステップ４２４）、第１の携帯電話機３０１は、転送設定中にメールやSMSを取り逃している可能性があるため、自動でメールサーバ３０６（図３参照）にメール着信の問い合わせを行う（ステップ４２３）。
【００５８】
以上説明したように、本発明の第１の実施の形態においては、着信の代替手段がある場合に、携帯電話機の間欠待ち受け周期を長くすることで、携帯電話機の連続待ち受け時間を長くすることができる。
【００５９】
以上、本発明の実施の形態について具体的に説明したが、本発明は上述の実施形態に限定されるものではなく、本発明技術的思想に基づく各種の変形が可能である。
【符号の説明】
【００６０】
１０１  携帯電話機
１０２  固定電話機
１０３  携帯電話基地局
１０４  携帯電話網
１０５  ＨＬＲ
１０６  メールサーバ
１０７  固定電話網
１０８  回線交換器
１０９  回線交換器
１１０  回線交換器
３０１  第１の携帯電話機
３０２  第２の携帯電話機
３０３  携帯電話基地局
３０４  携帯電話基地局
３０５  第１の携帯電話網
３０６  メールサーバ
３０７  ＨＬＲ
３０８  回線交換器
３０９  回線交換器
３１０  第２の携帯電話網
３１１  回線交換器
３１２  回線交換器
【図１】
0005505601.tif 000002
【図２】
0005505601.tif 000003
【図３】
0005505601.tif 000004
【図４】
0005505601.tif 000005